(57)【要約】      （修正有）【課題】ローソクの燃え残りを少なくし、清掃が容易で安全性の高いローソク立てを提供する。【解決手段】あかり窓１２ａをデザイン的に有する金属製の外筒１２が台座１１の載置部に載置立設できるようになっている。外筒の下部をＬ字状に切り欠いた切欠部１２ｂを、受け部材１５の外周面から突出させた突起物又は固定ピン１５ｃにて着脱自在に固定できるようになっている。外筒１２の上部は、点火具等でローソク１の芯１ａに火を付けやすいように火付け開口切欠部１２ｃを設けてあり、上方には３本の取付片１４ａにてカサ部１４を取り付けてある。外筒１２の内側には、下部側であって火皿１６と受け部材１５との間にエアーの取込部Ａが形成されるようにこの火皿１６の周囲部に載置リング１２ｄを設け、この載置リング１２ｄに防風筒１３の下端部が載置されるように透明な防風筒１３が挿入載置されている。【選択図】図１
0003193106.tif 000002
【実用新案登録請求の範囲】
【請求項１】
カップ状又は皿状の受け部材の上方に所定の間隔を隔てて火皿を配設し、
前記火皿と受け部材との間にエアーの取り込み部を形成するように火皿の周囲に防風筒を立設してあることを特徴とするローソク立て。
【請求項２】
前記受け部材の底部から立設した支柱に火皿を着脱自在に取り付けてあり、火皿の外径は受け部材の開口部内径よりも小さいことを特徴とする請求項１記載のローソク立て。
【請求項３】
前記受け部材は側壁部に水抜孔を有することで所定の高さまで貯水可能であることを特徴とする請求項２記載のローソク立て。
【請求項４】
台座の上に支柱を用いて受け部材及び火皿を連結し、
前記台座，支柱，受け部材及び火皿が分解及び組み立て可能になっていることを特徴とする請求項２又は３記載のローソク立て。
【請求項５】
前記防風筒は外筒を有せず台座の上に立設し、防風筒に前記エアーの取り込み部を形成してあることを特徴とする請求項４記載のローソク立て。
【請求項６】
前記受け部材及び火皿を内包する外筒を台座の上に立設し、前記外筒は側面にあかり窓を有するとともに内側又は外側に透明又は透光性を有する防風筒を配設したことを特徴とする請求項４記載のローソク立て。
【請求項７】
前記台座は石材からなるベース部にアンカーボルトで固定してあり、前記アンカーボルトは石材と接着剤で固定してあることを特徴とする請求項５又は６記載のローソク立て。
【考案の詳細な説明】
【技術分野】
【０００１】
本考案は、お墓又はその周囲、仏壇等に立設して用いるローソク立てに関する。
【背景技術】
【０００２】
お墓や仏壇においてはローソク立てが使用され、室外での神事やレクレーション等においてもローソク立てが使用されている。
従来の一般的なローソク立ては、火皿の中央部にローソクを立てる支持ピンを設け、この支持ピンにローソクの底部側を差し込むものである。
このような構造ではローソクの火が途中で消えたり、溶けたロウが火皿に残ることが多く、その後の清掃が大変であった。
また、室外においては風等により、ローソクが燃えきらない内に消える場合が多かった。
お墓の石の上にローソク立てを立設する場合に、アンカーボルト等で石材に埋設立設することがあるが、その場合に石材に設けた孔とアンカーボルトの間に接着剤を充填固着することがあるが、従来のローソク立てにおいてはローソクが燃え、短くなると火皿や台座が高温になり、この熱がアンカーボルトに伝わり、接着剤の油分等が溶け出し、石材が汚れる問題があった。
【０００３】
特許文献１には、火皿の芯部分に不燃性繊維を取り付けることで燃え残りを防止した技術を開示するが、必ずしも残ロウを防止できるものではない。
特許文献２には、内受皿の下に外受皿を設けた二段構造のローソク立てを開示するが、残ロウの清掃が容易ではない。
特許文献３には、防風用円筒を設けたローソク立てを開示するが、ローソクの燃え残りを防止できるものではない。
【先行技術文献】
【特許文献】
【０００４】
【特許文献１】特開平７−１８２９２０号公報
【特許文献２】特開２０１４−４１７３９号公報
【特許文献３】実開平５−１８３８０号公報
【考案の開示】
【考案が解決しようとする課題】
【０００５】
本考案は、ローソクの燃え残りを少なくし、清掃が容易で安全性の高いローソク立ての提供を目的とする。
【課題を解決するための手段】
【０００６】
本考案に係るローソク立ては、カップ状又は皿状の受け部材の上方に所定の間隔を隔てて火皿を配設し、前記火皿と受け部材との間にエアーの取り込み部を形成するように火皿の周囲に防風筒を立設してあることを特徴とする。
このようにカップ状又は皿状の受け部材の上方に火皿を設け、この受け部材と火皿との間からエアーを取り込むとともに、火皿の周囲に防風筒を設けたので防風筒に沿って上昇気流が発生するので、ローソクの燃焼を促進する。
火皿が熱くなっても受け部材と火皿との間に所定の間隔（空間）を有するので、受け部材まで熱くなるのを防止する。
これにより、ローソクが短くなっても火皿の上で燃え、ロウ残りが殆ど無いか非常に少なくなる。
【０００７】
本考案においては、受け部材の底部から立設した支柱に火皿を着脱自在に取り付けてあり、火皿の外径は受け部材の開口部内径よりも小さくしてあってもよい。
この場合に、受け部材は側壁部に水抜孔を有することで所定の高さまで貯水可能であるのが好ましい。
また、台座の上に支柱を用いて受け部材及び火皿を連結し、前記台座，支柱，受け部材及び火皿が分解及び組み立て可能になっているのが好ましく、受け部材及び火皿を内包する外筒を台座の上に立設し、前記外筒は側面にあかり窓を有するとともに内側又は外側に透明又は透光性を有する防風筒を配設してあってもよい。
この場合に防風筒を外筒に保持させると剛性があるが、本考案では外筒を有せず、防風筒のみを台座から立設し、エアーの取り込み部を形成してもよい。
また、外筒及び防風筒はローソクの灯が外部にもれるようになっていれば、メッシュ材でもよい。
さらには、台座は石材からなるベース部にアンカーボルトで固定してあり、前記アンカーボルトは石材と接着剤で固定してあってもよい。
【考案の効果】
【０００８】
本考案においては、火皿にロウが残りにくく、火皿の外にこぼれ落ちたロウは受け部材に水を貯めておくと、水に浮くので清掃しやすい。
防風筒によりローソクの火が風等で消えるのを防止しつつ、下部から取り込んだエアーの上昇気流にて燃焼性が向上する。
火皿と受け部材との間に間隔を設けたので、台座等が熱くならない。
また、火皿，受け部材及び台座等を分解可能にすると、清掃もしやすい。
【図面の簡単な説明】
【０００９】
【図１】（ａ）は本考案に係るローソク立ての側面外観図，（ｂ）はその断面図を示す。
【図２】正面外観図を示す。
【図３】ローソク立ての下部の断面拡大図を示す。
【図４】火皿から台座の部分の分解図を示す。
【考案を実施するための最良の形態】
【００１０】
本考案に係るローソク立ての構造例を以下図面に基づいて説明するが、本考案はこれに限定されない。
図１〜図４に示すようにローソク立て１０は、比較的重い台座１１に台座カバー１１ａを被せ、その上にカップ状の受け部材１５とこれより上方に所定の間隔を隔てて火皿１６が位置するように支柱１７を用いて連結してある。
支柱１７は、図４に示すようにナット付きのボルト１７ａの下部を受け部材１５の底部の取付孔１５ａを挿通させ、台座１１の裏面側のナット１７ｃと受け部材の内のナット１７ｂで締結できる。
なお、火皿１６，受け部材１５及び台座１１とが分解可能であれば、固定方法に制限はない。
支柱１７と火皿１６もボルト，ナットで固定し、その上にローソク１を立てる支持ピン１７ｄを有する。
受け部材１５は、図３に示すように上部が開口した容器部１５ｄになっていて、側壁に水抜孔１５ｂを有し、その高さまで水Ｗを貯めることができる。
これにより、こぼれ落ちたロウ１ｃは水に浮くので、清掃しやすい。
【００１１】
本実施例では、あかり窓１２ａをデザイン的に有する金属製の外筒１２が台座１１の載置部１１ｂに載置立設できるようになっている。
外筒の下部をＬ字状に切り欠いた切欠部１２ｂを、受け部材１５の外周面から突出させた突起物又は固定ピン１５ｃにて着脱自在に固定できるようになっている。
外筒１２の上部は、点火具等でローソク１の芯１ａに火を付けやすいように火付け開口切欠部１２ｃを設けてあり、上方には３本の取付片１４ａにてカサ部１４を取り付けてある。
外筒１２の内側には、下部側であって火皿１６と受け部材１５との間にエアーの取込部Ａが形成されるようにこの火皿１６の周囲部に載置リング１２ｄを設け、この載置リング１２ｄに防風筒１３の下端部１３ａが載置されるように透明な防風筒１３が挿入載置されている。
【００１２】
このようなローソク立てにしたことにより、ローソク１の火が風等で消えないように保護されながら下からのエアーの上昇気流により安定した炎になる。
溶けたロウ１ｂは、火皿の上に溜まってもローソク１が短くなると、支持ピン１７ｄとローソクの底部の穴部との間の毛細管現象もあって、また火皿が受け部材１５の上方にあるので熱くなり、ロウが最後まで燃え尽きる。
１０本のローソクを連続的に燃やしたが、残ロウは極僅かであった。
このように火皿１６を台座１１より高くしたので、ローソクに火が付けやすくなり、且つ台座１１が熱くならない。
よって、本実施例は台座１１にて自立載置可能にしたが、墓石等にアンカーボルトを用いて接着固定した場合に接着層が高温になり油分等が溶け出し、汚れるといった不具合もなくなる。
【符号の説明】
【００１３】
１        ローソク
１０      ローソク立て
１１      台座
１１ａ    台座カバー
１２      外筒
１３      防風筒
１４      カサ部
１５      受け部材
１５ｂ    水抜孔
１６      火皿
１７      支柱
１７ｄ    支持ピン
【図１】
0003193106.tif 000003
【図２】
0003193106.tif 000004
【図３】
0003193106.tif 000005
【図４】
0003193106.tif 000006